(57)【要約】      （修正有）【課題】必要最小限の滑り止め片により、滑り止めが十分機能するようにした、杖用ストラップを提供する。【解決手段】ストラップ１０の長さ方向一端部に杖２０の外周面に巻き付けて取り付けられる環状部分１２ｂを有する取付け部１２を設け、この取付け部を長さ方向に伸縮可能な弾性布から構成し、取付け部の環状部分は、その内周面が弾性片の弾性力により杖の外周面に密着し、ストラップに引張力が作用したとき杖の外周面に更に密着する半円周部分の内周面に滑り止め片１３を設ける。【選択図】図１
0003223895.tif 000002
【実用新案登録請求の範囲】
【請求項１】
杖に取付けられたストラップが杖の軸方向に移動しないようにした、杖用ストラップであって、
前記ストラップの長さ方向一端部に、前記杖の外周面に巻き付けて取り付けられる環状の取付け部が設けられ、
前記取付け部は、長さ方向に伸縮可能な弾性布からなり、
前記取付け部は、その内周面が前記弾性片の弾性力により前記杖の外周面に密着し、且つ
前記取付け部には、前記ストラップに引張力が作用したとき前記杖の外周面に更に密着する内周面の個所に滑り止め片が設けられたことを特徴とする、杖用ストラップ。
【考案の詳細な説明】
【技術分野】
【０００１】
本考案は、杖に取付けられたストラップが杖の軸方向に容易に移動しないようにした、杖用ストラップに関する。
【背景技術】
【０００２】
杖の上端部に設けた取っ手（グリップ、把持部）の近傍にはストラップが取り付けられていて、歩行時の補助として杖を使用する際には、ストラップに手を通して取っ手を握るようにしている。これは、両手を使うとき等で取っ手から手を離しても支障がないようにするためである。
【０００３】
ストラップを杖に取り付ける方法として、ねじ等で取っ手に固定する以外に、例えば、ストラップの杖への連結部分を環状の伸縮ベルトなどで構成し、この連結部分に杖を挿通することが知られている。この方法では、連結部分を伸縮ベルトの弾性力で杖の周面に密着させて、ストラップが杖の軸方向に容易にずれないように（上下方向に移動しないように）している。
【０００４】
しかし、杖の不使用時など、壁面などに設けた係止具にストラップを引っ掛けて杖を吊るしておくとき、ストラップ（連結部分）に作用する引張力の大きさによっては、ストラップ（連結部分）が予め定めていた位置からずれてしまう課題がある。
【０００５】
このような課題を解決するものとして、例えば、ストラップの杖に接する面に滑り止めを設けたものが提案されている（特許文献１，２参照）。
【先行技術文献】
【特許文献】
【０００６】
【特許文献１】公開実用新案公報  平成４−４８８１２号
【特許文献２】公開特許公報  特開平１１−３２８１９号
【考案の概要】
【考案が解決しようとする課題】
【０００７】
しかし、前者のストラップでは、単に杖に接する面の一部に滑り止め片を設けただけの構造であり、滑り止めが十分機能しない課題がある。また、後者のストラップでは、杖に接する面全体、或いは杖に接する面のうち、長さ方向全体に連続して、若しくは適宜間隔をあけて、滑り止め片を設けた構造であるが、ストラップに引張力が作用したとき、滑り止め片のうち滑り止めとして全く機能しない部分が存在する課題がある。
【０００８】
本考案は、必要最小限の滑り止め片により、滑り止めが十分機能するようにした、杖用ストラップを提供することを目的とする。
【課題を解決するための手段】
【０００９】
本考案の請求項１に記載の杖用ストラップは、
杖に取付けられたストラップが杖の軸方向に移動しないようにした、杖用ストラップであって、
前記ストラップの長さ方向一端部に、前記杖の外周面に巻き付けて取り付けられる環状の取付け部が設けられ、
前記取付け部は、長さ方向に伸縮可能な弾性布からなり、
前記取付け部は、その内周面が前記弾性片の弾性力により前記杖の外周面に密着し、且つ
前記取付け部には、前記ストラップに引張力が作用したとき前記杖の外周面に更に密着する内周面の個所に滑り止め片が設けられたことを特徴とする。
【考案の効果】
【００１０】
本考案によれば、取付け部を構成する弾性片の弾性力により取付け部の内周面及びこの内周面に設けた滑り止め片が杖の外周面に密着してストラップが杖に取り付けられているので、ストラップが杖の軸方向にずれるおそれがなく、また滑り止め片はストラップに引張力が作用したときに杖の外周面にさらに密着する取付け部の内周面の個所に設けられているので、必要最小限の滑り止め片により、滑り止め効果が十分発揮される。
【図面の簡単な説明】
【００１１】
【図１】本考案の杖用ストラップの一実施例を示す、一部省略した側面図である。
【図２】図１に示す杖用ストラップの取付け部を展開した部分内面図である。
【図３】図１に示す杖用ストラップの取付け部の部分断面図である。
【図４】図１に示す杖用ストラップに引張力が作用したときの取付け部の部分断面図である。
【考案を実施するための形態】
【実施例１】
【００１２】
図１乃至図４は本考案の杖用ストラップの一実施例を示す。
【００１３】
本実施例の杖用ストラップは、図１に示すように、手首に通すことができる環状のストラップ本体１０と、このストラップ本体１０の一端部に円形リング１１を介して連結された環状の取付け部１２とを備え、パイプ状の杖２０の上端に設けた取っ手（グリップ、把持部）２１の近傍に取り付けられる。
【００１４】
前記ストラップ本体１０は布製の紐片から構成される。前記円形リング１１は、金属製で、その一方の半円周部に前記ストラップ本体１０の一端部が巻き付けて連結され、その他方の半円周部に前記取付け部１２の連結部分１２ａが巻き付けて連結される。前記取付け部１２は、この連結部分１２ａと、前記杖２０の外周面に巻き付けた状態で取り付けられる環状部分１２ｂとを有し、長さ方向に伸縮する伸縮バンドなどからなる帯状の弾性片で構成される。前記杖２０を前記環状部分１２ｂに通してストラップ本体１０を杖２０に取り付けると、環状部分１２ｂの内周面は弾性片の弾性力により杖２０の外周面に密着した状態となる。
【００１５】
ストラップ（前記ストラップ本体１０）に引張力が作用した時（図４の矢印参照）、前記環状部分１２ｂのうち、一方の半円周部分１２１ｂが杖２０の外周面に更に密着し（圧着し）、他方の半円周部分１２２ｂが円弧状から直線状に弾性変形して杖２０の外周面から離れる。
【００１６】
前記半円周部分１２１ｂの内周面全体には滑り止め片１３が設けられる。この滑り止め片１３は、例えば図２に示すように粗面加工が施された帯状のゴム片から構成されるが、これに限定されるものではなく、可撓性を有して滑り止め機能があれば使用可能である。
【００１７】
前記半円周部分１２２ｂは、ストラップ（前記ストラップ本体１０）に引張力が作用していない時には（図３参照）弾性片の弾性力により前記杖２０の外周面に密着した状態となり滑り止め効果を発揮するものの、ストラップ（前記ストラップ本体１０）に引張力が作用する時には（図４参照）直線状に弾性変形して杖２０の外周面から離れるので前記滑り止め片１３が設けられていない。
【００１８】
本実施例の杖用ストラップによれば、前記取付け部１２を構成する弾性片の弾性力により前記環状部分１２ｂ及び前記滑り止め片１３が前記杖２０の外周面に密着した状態で前記ストラップ本体１０が杖２０に取り付けられているので、ストラップ（ストラップ本体１０）が杖２０に対して滑り落ちるおそれがない。また、ストラップ（ストラップ本体１０）を介して杖２０を壁面などに吊り下げることにより、図４に示すように、ストラップ（前記ストラップ本体１０）に引張力が作用した場合であっても、前記滑り止め片１３が前記杖の外周面にさらに密着（圧着）するので、杖２０の上下方向に移動するおそれがない。さらに、前記滑り止め片１３は、ストラップ（前記ストラップ本体１０）に引張力が作用したとき、杖２０の外周面に更に密着（圧着）する前記半円周部分１２１ｂの内周面に設けられ、前記杖２０の外周面から離れる前記半円周部分１２２ｂには設けられていないので、最小限の滑り止め片１３で効果的に滑り止めを行うことが可能となる。
【００１９】
本考案の杖用ストラップは、上記実施例に示したものに限定されるものではない。例えば、滑り止め片１３を図２に示すように一枚の帯状シートで構成し、これを半円周部分１２１ｂの内周面全体を覆うようにしたが、この代わりに複数の短冊状シートで構成し、これら短冊状シートを半円周部分１２１ｂの内周面に長さ方向に沿って適宜間隔をあけて配置するようにしてもよい。
【産業上の利用可能性】
【００２０】
本考案の杖用ストラップはパイプ状に限らず各種タイプの杖に取付けて使用することが出来る。
【符号の説明】
【００２１】
１０        ストラップ本体
１１        円形リング
１２        取付け部
１２ａ      連結部分
１２ｂ      環状部分
１２１ｂ    半円周部分
１２２ｂ    半円周部分
１３        滑り止め片
【図１】
0003223895.tif 000003
【図２】
0003223895.tif 000004
【図３】
0003223895.tif 000005
【図４】
0003223895.tif 000006